【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
記録媒体に動画を記録する記録手段と、
外部機器と通信する通信手段と、
所定の指示を受け付ける入力手段と、
前記記録手段による動画の記録中に、前記入力手段により前記所定の指示を受け付けた場合、当該動画の所定の単位の記録が終了したことに応じて、記録が終了した動画を自動的に前記外部機器に転送するよう制御する制御手段と、を有することを特徴とする記録装置。
【請求項２】
前記制御手段は、前記記録手段による動画の記録準備中に、前記入力手段により前記所定の指示を受け付けた場合、直前に記録された動画を自動的に前記外部機器に転送するように制御することを特徴とする請求項１に記載の記録装置。
【請求項３】
前記所定の指示を受け付けた時点で記録中であった動画または記録済みであった動画の情報を登録したリストを作成する作成手段をさらに有し、
前記制御手段は、前記リストに従って前記記録された動画を自動的に前記外部機器に転送することを特徴とする請求項１または２に記載の記録装置。
【請求項４】
前記記録手段は、撮像された動画を所定のデータサイズごとに分割しファイルとして記録するファイルブレーク処理を行い、
前記リストには、前記記録された動画の情報と、前記ファイルブレーク処理により分割して記録された各ファイルの情報とが登録されることを特徴とする請求項３に記載の記録装置。
【請求項５】
前記動画が前記ファイルブレーク処理により複数のファイルに分割して記録されている場合、前記制御手段は、前記記録された動画を前記外部機器に転送する順番を制御することを特徴とする請求項４に記載の記録装置。
【請求項６】
前記動画の記録中に前記所定の指示を受け付けた場合、前記制御手段は、当該所定の指示を受け付けた時点で作成中のファイルが最初に転送されるように前記順番を制御することを特徴とする請求項５に記載の記録装置。
【請求項７】
前記動画の記録中に前記所定の指示を受け付けた場合、前記制御手段は、当該所定の指示を受け付けた時点で作成中のファイルの直前に完成されたファイルが最初に転送されるように前記順番を制御することを特徴とする請求項５に記載の記録装置。
【請求項８】
前記記録された動画の情報は、前記ファイルブレーク処理により分割して記録された各ファイルの番号と、全てのファイルからなる１つのシーンの番号を含むことを特徴とする請求項４から７のいずれか１項に記載の記録装置。
【請求項９】
記録媒体に動画を記録する記録手段と、外部機器と通信する通信手段と、所定の指示を受け付ける入力手段と、を有する記録装置の制御方法であって、
前記記録手段による動画の記録中に、前記入力手段により前記所定の指示を受け付けた場合、当該動画の所定単位の記録が終了したことに応じて、記録が終了した動画を自動的に前記外部機器に転送するよう制御するステップを有することを特徴とする制御方法。
【請求項１０】
コンピュータに、請求項９に記載の制御方法を実行させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】記録装置およびその制御方法、並びに記憶媒体
【手続補正３】
【補正対象書類名】明細書
【補正対象項目名】０００８
【補正方法】変更
【補正の内容】
【０００８】
上記課題を解決し、目的を達成するために、本発明の記録装置は、記録媒体に動画を記録する記録手段と、外部機器と通信する通信手段と、所定の指示を受け付ける入力手段と、前記記録手段による動画の記録中に、前記入力手段により前記所定の指示を受け付けた場合、当該動画の所定の単位の記録が終了したことに応じて、記録が終了した動画を自動的に前記外部機器に転送するよう制御する制御手段と、を有する。
【手続補正４】
【補正対象書類名】明細書
【補正対象項目名】００３９
【補正方法】変更
【補正の内容】
【００３９】
Ｒｅｃ３０４は、ビデオカメラ１００が記録中の状態を示している。記録中は、操作部１０８から記録開始指示（ＲｅｃＳｔａｒｔ）が入力された状態となり、ビデオカメラ１００は記録停止指示（ＲｅｃＳｔｏｐ）を受けるまで上述した記録動作を継続する。
【手続補正５】
【補正対象書類名】明細書
【補正対象項目名】００４０
【補正方法】変更
【補正の内容】
【００４０】
ＲｅｃＤｅｌａｙ３０５は、操作部１０８から記録開始指示（ＲｅｃＳｔａｒｔ）が入力され、ビデオカメラ１００が記録動作を開始した後、実際に記録媒体１１０に映像ファイルが記録されるまでの時間差を示している。この時間差は、記録する映像データのビットレートや、ＦＢ容量により増減する。なお、記録停止指示（ＲｅｃＳｔｏｐ）を受けてから、実際に映像の記録動作が終了するまでにも同様の時間差が発生する。
【手続補正６】
【補正対象書類名】明細書
【補正対象項目名】００４６
【補正方法】変更
【補正の内容】
【００４６】
ＭｏｄｅＳｔｏｐ３１１は、ユーザがユーザインタフェース（ＵＩ）などを介して操作部１０８から映像記録モードを終了する指示、すなわち他の動作モードへ切り替える指示を行ったタイミングを示している。この映像記録モードの切り替え指示を受けると、ビデオカメラ１００は再生モードなどの他の動作モードに移行する。
【手続補正７】
【補正対象書類名】明細書
【補正対象項目名】００７９
【補正方法】変更
【補正の内容】
【００７９】
システム制御部１１３は、ビデオカメラ１００による記録中または記録完了後の記録準備中に、操作部１０８から転送指定（ＴｒａｎｓｆｅｒＲｅｑ）が検出された場合に、転送対象のＳｃｅｎｅについてＦｉｌｅＢｒｅａｋがされているか否かを判定する。そして、転送対象のシーン番号とＦｉｌｅＢｒｅａｋに応じた数のファイル番号がファイル番号登録テーブルに登録される。システム制御部１１３は、このように登録された転送リストに従って、Ｓｃｅｎｅを外部機器に転送する。
【手続補正８】
【補正対象書類名】明細書
【補正対象項目名】００８３
【補正方法】変更
【補正の内容】
【００８３】
（記録中）
Ｓ６０４では、システム制御部１１３は、転送されるＳｃｅｎｅのシーン番号を、シーン番号登録テーブルに登録する。
【手続補正９】
【補正対象書類名】明細書
【補正対象項目名】００９６
【補正方法】変更
【補正の内容】
【００９６】
Ｓ６１２では、システム制御部１１３は、ＦｉｌｅＣｌｏｓｅにより完成されたＦｉｌｅの番号を該当するファイル番号登録テーブルに登録する。図４（ａ）ではＦｉｌｅＣｌｏｓｅ４００９によりＦｉｌｅ＃１（４００６）が完成状態となり、転送リストに登録可能となり、この時点で未登録であった図５（ｂ）のファイル番号登録テーブル５１０１にＦｉｌｅ＃１（４００７）が登録される。同様の手順で、図４（ｅ）ではＦｉｌｅＣｌｏｓｅ４４０９によりＦｉｌｅ＃８（４４０７ｂ）が完成状態となり、図５（ｈ）のファイル番号登録テーブル５７４２にＦｉｌｅ＃８（４４０７ｂ）が登録される。
【手続補正１０】
【補正対象書類名】明細書
【補正対象項目名】０１０６
【補正方法】変更
【補正の内容】
【０１０６】
Ｓ６５４では、システム制御部１１３は、Ｓ６０７と同様に、転送リストに登録可能なＦｉｌｅ番号を全て登録するまで、Ｓ６５３でのファイル情報登録処理を繰り返し実行する。図４（ｅ）では、ＴｒａｎｓｆｅｒＲｅｑ４４１２が検出されたときにＦｉｌｅ＃７、＃８（４４０７ａ、４４０７ｂ）が完成状態で存在する。この場合、１回目のＳ６５３の処理では、Ｆｉｌｅ＃７（４４０７ｂ）が登録され、図５（ｈ）のテーブル５７４１にＦｉｌｅ＃７が登録される。しかしながら、Ｓ６５４にてＦｉｌｅ＃８（４４０７ｂ）が未登録であると判定されるため、再度Ｓ６５３の処理を行い、図５（ｈ）のテーブル５７４２にＦｉｌｅ＃８（４４０７ｂ）が登録される。
【手続補正１１】
【補正対象書類名】明細書
【補正対象項目名】０１２９
【補正方法】変更
【補正の内容】
【０１２９】
実施形態２では、図８に示すように、ＲｅｃＳｔａｒｔ８００で記録動作が開始され、記録中にＦｉｌｅＢｒｅａｋ８０１、８０２が行われ、Ｆｉｌｅ＃１、Ｆｉｌｅ＃２が作成されて記録媒体１１０に記録される。その後、Ｆｉｌｅ＃３の作成中に転送指定（ＴｒａｎｓｆｅｒＲｅｑ８０３）が検出されると、Ｓｃｅｎｅ＃１と、Ｆｉｌｅ＃１と、Ｆｉｌｅ＃２が転送リストに登録される。
【手続補正１２】
【補正対象書類名】図面
【補正対象項目名】図６
【補正方法】変更
【補正の内容】
【図６】
2015198407.tif 000001